【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
次の成分（Ａ）〜（Ｄ）；
（Ａ）ゲル化剤
（Ｂ）グリセリン
（Ｃ）アルコール
（Ｄ）水
を含有し、成分（Ａ）ゲル化剤が、次の成分（ａ１）または（ａ２）；
（ａ１）ヒドロキシプロピル化グアーガム
（ａ２）ヒドロキシアルキルセルロースおよびヒドロキシアルキルアルキルセルロース
を含有することを特徴とするアルコール系ゲル状組成物。
【請求項２】
さらに成分（Ｅ）シリコーンを含有する請求項１記載のアルコール系ゲル状組成物。
【請求項３】
成分（Ｅ）シリコーンが、メチルフェニルシリコーン、ジフェニルシロキシフェニルメチコン、カプリリルメチコン、フェニルトリメチコン、ジフェニルシロキシフェニルトリメチコン、カルビノール変性シリコーンオイル、ポリグリセリル−３ジシロキサンジメチコン、ビス（ヒドロキシエトキシプロピル）ジメチコンおよびポリエーテル変性シリコーンオイルよりなる群から選ばれる１種または２種以上である請求項２記載のアルコール系ゲル状組成物。
【請求項４】
成分（Ｂ）の含有量が０．１〜１０質量％である請求項１〜３のいずれかの項記載のアルコール系ゲル状組成物。
【請求項５】
成分（Ａ）が、成分（ａ２）ヒドロキシアルキルセルロースおよびヒドロキシアルキルアルキルセルロースを含有するものであって、ヒドロキシアルキルセルロースが、ヒドロキシＣ２−４アルキルセルロースであり、ヒドロキシアルキルアルキルセルロースが、ヒドロキシＣ２−４アルキルＣ１−４アルキルセルロースである請求項１〜４のいずれかの項記載のアルコール系ゲル状組成物。
【請求項６】
ヒドロキシＣ２−４アルキルセルロースが、ヒドロキシエチルセルロースであり、ヒドロキシＣ２−４アルキルＣ１−４アルキルセルロースが、ヒドロキシプロピルメチルセルロースである請求項５記載のアルコール系ゲル状組成物。
【請求項７】
ヒドロキシアルキルセルロースの含有量が０．１〜１０質量％であり、ヒドロキシアルキルアルキルセルロースの含有量が０．１〜１０質量％である請求項５または６に記載のアルコール系ゲル状組成物。
【請求項８】
成分（Ｃ）アルコールが、炭素数５以下の低級アルコールまたは下記式（１）
【化１】
2018070669.tif 000001
（式中、ｎは１〜３の自然数を示す）
で示される芳香族アルコールである請求項１〜７のいずれかの項記載のアルコール系ゲル状組成物。
【請求項９】
成分（Ｄ）水の含有量が１０〜３０質量％である請求項１〜８のいずれかの項記載のアルコール系ゲル状組成物。
【請求項１０】
次の成分（Ａ）〜（Ｄ）；
（Ａ）ゲル化剤
（Ｂ）グリセリン
（Ｃ）アルコール
（Ｄ）水
を含有し、成分（Ａ）ゲル化剤が、次の成分（ａ１）または（ａ２）；
（ａ１）ヒドロキシプロピル化グアーガム
（ａ２）ヒドロキシアルキルセルロースおよびヒドロキシアルキルアルキルセルロース
を含有するアルコール系ゲル状組成物の製造方法であって、成分（Ａ）〜（Ｃ）を混合した後、当該混合物に１〜３０℃の成分（Ｄ）を添加することを特徴とするアルコール系ゲル状組成物の製造法。
【請求項１１】
グリセリンを有効成分として含有するアルコール系ゲル状組成物の収縮改善剤。
【請求項１２】
さらにシリコーンを含有する請求項１１記載のアルコール系ゲル状組成物の収縮改善剤。
【請求項１３】
シリコーンが、メチルフェニルシリコーン、ジフェニルシロキシフェニルメチコン、カプリリルメチコン、フェニルトリメチコン、ジフェニルシロキシフェニルトリメチコン、カルビノール変性シリコーンオイル、ポリグリセリル−３ジシロキサンジメチコン、ビス（ヒドロキシエトキシプロピル）ジメチコンおよびポリエーテル変性シリコーンオイルよりなる群から選ばれる１種または２種以上である請求項１２記載のアルコール系ゲル状組成物の収縮改善剤。
【請求項１４】
アルコール系ゲル状組成物が、次の成分（ａ１）または（ａ２）；
（ａ１）ヒドロキシプロピル化グアーガム
（ａ２）ヒドロキシアルキルセルロースおよびヒドロキシアルキルアルキルセルロース
を用いてゲル状としたものである請求項１１〜１３のいずれかの項記載のアルコール系ゲル状組成物の収縮改善剤。
【請求項１５】
アルコール系ゲル状組成物にグリセリンを添加することを特徴とするアルコール系ゲル状組成物の収縮改善方法。
【請求項１６】
さらにシリコーンを添加する請求項１５記載のアルコール系ゲル状組成物の収縮改善方法。
【請求項１７】
シリコーンが、メチルフェニルシリコーン、ジフェニルシロキシフェニルメチコン、カプリリルメチコン、フェニルトリメチコン、ジフェニルシロキシフェニルトリメチコン、カルビノール変性シリコーンオイル、ポリグリセリル−３ジシロキサンジメチコン、ビス（ヒドロキシエトキシプロピル）ジメチコンおよびポリエーテル変性シリコーンオイルよりなる群から選ばれる１種または２種以上である請求項１６記載のアルコール系ゲル状組成物の収縮改善方法。
【請求項１８】
アルコール系ゲル状組成物が、次の成分（ａ１）または（ａ２）；
（ａ１）ヒドロキシプロピル化グアーガム
（ａ２）ヒドロキシアルキルセルロースおよびヒドロキシアルキルアルキルセルロース
を用いてゲル状としたものである請求項１５〜１７のいずれかの項記載のアルコール系ゲル状組成物の収縮改善方法。
【手続補正２】
【補正対象書類名】明細書
【補正対象項目名】００２９
【補正方法】変更
【補正の内容】
【００２９】
具体的には、メタノール、エタノール、プロパノール、イソプロパノール、ｎ−ブタノール、イソブタノール、ｓｅｃ−ブタノール、ｔｅｒｔ−ブタノール、２−メチル−１−プロパノール、２−メチル−２−プロパノール、ペンタノール、フェノキシエタノール等のモノアルコールが挙げられる。成分（Ｃ）アルコールの含有量は、全組成に対し、好ましくは５０％以上であり、６０〜８５％がより好ましく、６０〜８０％が特に好ましい。
【手続補正３】
【補正対象書類名】明細書
【補正対象項目名】００３２
【補正方法】変更
【補正の内容】
【００３２】
成分（Ｅ）シリコーンとしては、特に限定されるものではなく、例えば、ヘキサメチルジシロキサン、オクタメチルトリシロキサン、デカメチルテトラシロキサン、ジメチルポリシロキサン、メチルフェニルポリシロキサン、３，３−ジフェニルポリシロキサン、ポリオキシエチレンメチルポリシロキサン共重合体、ポリ（オキシエチレン−オキシプロピレン）メチルポリシロキサン共重合体、ラウリルメチコンコポリオール、アミノメチルアミノプロピルシロキサンジメチルシロキサン共重合体、ヘキサメチルシクロトリシロキサン、オクタメチルシクロテトラシロキサン、デカメチルシクロペンタシロキサン、１，３，５，７−テトラメチルテトラビニルシクロテトラシロキサン、１，３，５，７，９−ペンタメチルペンタビニルシクロペンタシロキサン、１，３，５，７，９−ペンタメチルペンタフェニルシクロペンタシロキサン、トリメチルペンタフェニルトリシロキサン、メチルフェニルシリコーン、ジフェニルシロキシフェニルメチコン、カプリリルメチコン、フェニルトリメチコン、ジフェニルシロキシフェニルトリメチコン、カルビノール変性シリコーンオイル、ポリグリセリル−３ジシロキサンジメチコン、ビス（ヒドロキシエトキシプロピル）ジメチコン、ポリエーテル変性シリコーンオイル等が挙げられ、これらの１種または２種以上を用いることができる。
【手続補正４】
【補正対象書類名】明細書
【補正対象項目名】００４７
【補正方法】変更
【補正の内容】
【００４７】
【表１】
2018070669.tif 000002
【手続補正５】
【補正対象書類名】明細書
【補正対象項目名】００５０
【補正方法】変更
【補正の内容】
【００５０】
実  施  例  ２
下記表２に示す処方に従って、ゲル化剤であるヒドロキシプロピル化グアーガムと吸着剤である活性炭、グリセリンおよび／またはシリコーン、３−メトキシ−３−メチル−１−ブタノールをエタノールに分散させたＡ液に、酸を水に分散させたＢ液を入れ攪拌した後、容器に充填し、ゲル剤を得た。実施例１と同様に揮散による収縮性について評価した。結果を表２に併せて示す。なお、本発明品４〜６は１４日後揮散後も離水等は認められず安定性は良好であった。
【手続補正６】
【補正対象書類名】明細書
【補正対象項目名】００５１
【補正方法】変更
【補正の内容】
【００５１】
【表２】
2018070669.tif 000003